(57)【要約】【課題】強くおさえる、こねる、強くおさえて端から切る、後半の使用中包装用容器が変形して使用不能に近い状態になる、背の低い皿のような食器類には、強くおさえる、こねる、等々、少々不便を感じる、何の障害もない快適に使用できる包装用容器を設ける【解決手段】使用分を引き出したラップフィルムを、俎板状の補助具と、開閉自由の蓋に接合している、俎板状の補助具に接触させる切断刃で挟み、蓋を閉じるだけで簡単に快適に切断可能な、俎板状の補助具を有する切断刃つき包装用容器を設ける【選択図】図４２
2016108046.tif 000002
【特許請求の範囲】
【請求項１】
引き出したラップフイルムを、俎板状の補助具と切断刃で挟み切断する包装用容器を、復数以上の形態で（第１号容器〜第１０号容器まで）復数以上を設け、用途に適合する容器を選択して使用する（１）〜（１５）で構成を有することを特徴とする、俎板状の補助具を有する切断刃つき包装用容器
（１）第１号容器を、包装用容器本体の底面１４を前方に延長して俎板状の補助具１を設けている          （図１を参照）（図１は第１号容器の全体図を示している）
（２）自由可動の蓋８の先端部分に、俎板状の補助具に接触させる切断刃２を設けている
（３）包装用容器本体の前面１０にラップフイルムの引き出し口１２を設けている
（４）包装用容器本体内のラップフイルム収納部分４８に、着脱自由の定着板つき筒状芯棒の大３、着脱自由の定着板つき凸部状芯棒の小４、ラップフイルム５、を収納している
（５）自由可動の蓋状逆上防止具６、を設けている
（６）閉じた蓋が復元力で自動で開く補助具９、を設けている、その他に、定着板２０、引き出したラップフイルム１３、包装用容器本体の右側面１１、包装用容器本体の左側面１６、包装用容器本体の後面１５、自由可動の蓋状逆上防止具を接合した位置７、空白部分１７、となつている。（本発明の実施の形態の欄で図１〜図４１に基ずいて詳細に説明する、以下同じ）
（７）第２号容器を、図６に示す、開閉自由の定着板つき凸部状の芯棒２２、開閉自由の定着板２３、ラップフイルム５、を設けている
（８）第３号容器を、図１０に示す、着脱自由の押入口が収縮する回転補助具２６、包装用容器本体内のラップフイルム収納部分４８、ラップフイルム５、を設けている
（９）第４号容器を、図１４に示す、菱形状になつた包装用容器本体６０、包装用容器本体２７、ラップフイルム引き出し時の脱出防止部３０、を設けている
（１０）第５号容器を、図１８に示す、開閉自由の屋根形状の蓋３６、開閉自由の屋根形状の蓋接合の位置３７、内側に折曲した本体前面上端部分３８、を設けている。
（１１）第６号容器を、図２２に示す、包装用容本体前面を延長して設けた俎板状の補助具４２、蓋開閉補助の凸部４１、接触させる切断刃の先端部分１８、を設けている
（１２）第７号容器を、図２６に示す、包装用容器本体の前面１０を俎板状の補助具として使用している、切触させる切断刃の先端部分１８、を設けている
（１３）第８号容器を、図３０に示す、自由可動の蓋状逆上防止具の裏面に設けた逆回転防止凸部５１、湾曲した自由可動の蓋５２、を設けている
（１４）第９号容器を、図３７に示す、開いた逆上防止具が復元力で自動で元にもどる補助具５５、分割した俎板状の補助具５７、を設けている
（１５）第１０号容器を、図４０に示す、自由可動の蓋の裏面２箇所に設けた逆回転防止凸部５６、俎板状の補助具１、俎板状の補助具に接触させる切断刃２、を設けている
上記、請求項１に記載の包装用容器個々の形態を共有して使用する、軟質の材質、硬質の材質、紙類の材質、混合した材質、復元力が強い材質、諸々の材質を用い、１回で使い捨てにする、数回使用する、長い期間使用する、着脱自由に定着させる、用途に適合する部分を選択し、交換しあい、新しい形態の容器に改良することも可能になつている、以上のように設けている、俎板状の補助具を有する切断刃つき包装用容器
【発明の詳細な説明】
【技術分野】
【０００１】  本発明は、包装用容器本体内に収納したラップフイルムを使用分を引き出し、これを切断する、俎板状の補助具を有する切断刃つき包装用容器に関するもの
【背景技術】
【０００２】  通常使用しているＡ形ラップフイルムを容器本体内に収納した後に、これを引き出し切断時に、強くおさえる、強くこねる、ラップフイルムを切断後にラップフイルムの切れ端が逆上する、逆上したラップフイルムを防止するために、容器本体前面上端部分に防止部分を設けているが、次回の引き出し時に小々障害になることがおこる、部品が多々あつてラップの巻芯の回転が悪く、ラップの切れ端が、ラップに巻きつき切れ端がわからなくなることが多々ある、Ｂ形ラップフイルムは容器本体の前面に平行して、垂直に下を向いて切断刃がついている、卓上においた皿にラップをかける時は小々こまる事がおこる、しつかりおさえる、蓋をしつかり閉めて端から切断する、切断と云うよりも引きちぎる感が大きい。
【先行技術文献】
【特許文献】
【０００３】
【特許文献１】特許公開番号２００９−８３９１７
【０００４】
【特許文献２】特許公開番号２０１３−１４１０
【非特許文献】
【０００５】
【発明の概要】
【発明が解決しようとする課題】
【０００６】  包装用容器本体内に収納したラップフイルムを使用分引き出し、何の条件もなく蓋を閉じると簡単に切断できる包装用容器を設ける
【課題を解決するための手段】
【０００７】  包装用容器本体内に収納したラップフイルムを、使用分を引き出し、俎板状の補助具と切断刃で挟み切断する包装用容器を、復数以上の形態で（第１号〜第１０号まで）復数以上を設け、用途に適合する容器を選択して使用する、俎板状の補助具を有する切断刃つき包装用容器を設ける
【発明の効果】
【０００８】  使用分を引き出したラップフイルムを、何の条件もなく包装用容器の開閉自由の蓋を閉じると簡単に切断可能となつたことで、強くおさえる、強くこねる、蓋をしつかり閉めて端から切断する、等々諸々の条件がなくなり安心して快適に使用できる、使用してくださるお客様にも安心して障害のないことを伝えて、心をこめて提供できる
【図面の簡単な説明】
【０００９】
【図１】本発明の請求項１の第１号容器の全体図を示す、立体図
【図２】接触させる切断刃の先端部分を俎板状の補助具に接触を示す、立体図
【図３】着脱自由の定着板つき筒状芯棒大、着脱自由の定着板つき凸部を示す、立体図
【図４】ラップフイルムの内側に空白部分を有する芯棒大を示す、立体図
【図５】凸部状芯棒小を内側に空白部分を有する芯棒大に押入を示す、立体図
【図６】第２号容器の、側面を貫通した穴、開閉自由の定着板つき凸部状芯棒を示す立体図
【図７】開閉自由の定着板つき凸部状の芯棒、ラップフイルム巻芯内の空白部分を示す、側面図
【図８】自由可動の蓋状逆上防止具、閉じた蓋が復元力で自動で開く補助具を示す、立体図
【図９】開閉自由の定着板つき凸部状芯棒を、ラップフイルム巻芯内に押入を示す、側面図
【図１０】第３号容器の、着脱自由の、押入口が収縮する回転補助具を示す、立体図
【図１１】押入口が収縮する回転補助具の、収縮の状態を示す、立体図
【図１２】ラップフイルムの押入の状態を示す、立体図
【図１３】ラップフイルムの押入が完了したことを示す、立体図
【図１４】第４号容器の、包装用容器本体が菱形状に、なつたことを示す、立体図
【図１５】俎板状の補助具の方を向いている切断刃の先端部分を示す、側面図
【図１６】閉じた蓋が復元力で自動で元にもどる補助具を示す、立体図
【図１７】包装用容器本体の前面が俎板状の補助具になつたことを示す、側面図
【図１８】第５号容器の、開閉自由の屋根形状の蓋を示す、立体図
【図１９】屋根形状の蓋が平常の時は、水平になつていることを示す、立体図
【図２０】屋根形状の蓋が切断時にわ傾斜している形を示す、側面図
【図２１】普通の重量より３倍、５倍の重量のある巻芯を示す、立体図
【図２２】第６号容器の、包装用容器本体の前面を前方に延長して設けた、俎板状の補助具を示す、立体図
【図２３】引き出したラップフイルムの状態を示す、側面図
【図２４】引き出したラップフイルムを挟んでいることを示す、立体図
【図２５】容器本体前面を延長して設けた、俎板状の補助具を底面より示す、立体図
【図２６】第７号容器の、包装用容器本体の前面を上部にして使用していることを示す、立体図
【図２７】包装用容器本体の底面が前面の位置になつていることを示す、側面図
【図２８】接触させる切断刃の先端部分が接触したことを示す、立体図
【図２９】包装用容器本体を傾斜させて使用することを示す、側面図
【図３０】第８号容器の、蓋状逆上防止具の裏面に逆回転防止凸部を設けたことを示す、立体図
【図３１】蓋状逆上防止具の垂下部分を示す、立体図
【図３２】俎板状の補助具の方を向いている切断刃の接触を示す、立体図
【図３３】第７号容器の、容器本体の前面を上部にして使用している状態を示す、立体図
【図３４】逆上したラップフイルムを示す、立体図
【図３５】俎板状の補助具に接触させる切断刃を復数以上設けたことを示す、立体図
【図３６】復元力で元にもどる補助具に蓋状逆上防止具を接合していることを示す、立体図
【図３７】第９号容器の、開いた逆上防止具が復元力で自動で閉ることを示す、立体図
【図３８】図３０の、蓋状逆上防止具の裏面に設けた凸部を示す、側面図
【図３９】湾曲した自由可動の蓋を閉じた状態を示す、側面図
【図４０】第１０号容器の自由可動蓋の裏面２箇所に設けた逆回転防止具を示す、立体図
【図４１】蓋を閉じると凸部が逆回転を防止することを示している、側面図
【発明を実施するための形態】
【００１０】  本発明の実施の形態を図１〜図４１に基ずいて説明する
【００１１】  図１は、本発明の請求項１俎板状の補助具を有する切断刃つき包装用容器の、第１号容器の全体図となつている、俎板状の補助具１、包装用容器本体の底面１４、着脱自由の定着板つき筒状芯棒の大３、包装用容器本体の左側面１６、包装用容器の後面１５、定着板２０、包装用容器本体内のラップフイルム収納部分４８、自由可動の蓋８、ラップフイルム５、自由可動の蓋状逆上防止具を接合した位置７、空白部分１７、俎板状の補助具に接触させる切断刃２、着脱自由の定着板つき凸部状芯棒の小４、包装用容器本体の右側面１１、引き出したラップフイルム１３、自由可動の蓋状逆上防止具６、閉じた蓋が復元力で自動で開く補助具９、ラップフイルムの引き出し口１２、包装用容器本体の前面１０、となつている
【００１２】  図２は、自由可動の蓋８を閉じると、接触させる切断刃の先端部分１８と俎板状の補助具１で、引き出したラップフイルム１３を挟み簡単に切断可能となつている
【００１３】  図３は、内側に空白部分を有する筒状芯棒大１９、凸部状芯棒の小２１、定着板２０、となつている
【００１４】  図４は、内側に空白部分を有する筒状芯棒大１９にラップフイルム５を回転自由に外側に押入している、定着板２０、となつている
【００１５】  図５は、凸部状芯棒の小２１を、筒状芯棒大１９の内側に着脱自由に押入して定着している、定着板２０、押入しているラップフイルム５は快適に回転可能になつている、これを容器本体内の収納部分に、着脱自由に定着させている。
【００１６】  図６は、第２号容器を示す、開閉自由の定着板つき凸部状の芯棒２２、側面を貫通した穴２４、ラップフイルム５、開閉自由の定着板２３、となつている
【００１７】  図７は、第２号容器の側面図を示す、開閉自由の定着板つき凸部状の芯棒２２、側面を貫通した穴２４、包装用容器本体の左側面１６、ラップフイルムの巻芯内の空白部分３３ラップフイルムの巻芯２５、となつている
【００１８】  図８は、図６を補充する立体図を示す、俎板状の補助具に接触させる切断刃２、閉じた蓋が復元力で自動で開く補助具９，開閉自由の定着板２３、自由可動の蓋状逆上防止具６、ラップフイルムの引き出し口１２、俎板状の補助具１、開閉自由の定着板つき凸部状の芯棒２２、自由可動の蓋８、となつている。
【００１９】  図９は、図７に示す、開閉自由の定着板つき凸部状の芯棒２２が閉じたことを示している、開閉自由の定着板２３、ラップフイルムの巻芯内の空白部分３３、となつている
【００２０】  図１０は、第３号容器の立体図を示す、俎板状の補助具１、包装用容器本体内のラップフイルム収納部分４８、着脱自由の押入口が収縮する回転補助具２６、包装用容器本体２７、俎板状の補助具に接触させる切断刃２、ラップフイルム５、となつている
【００２１】  図１１は、点線のように収縮する２９、押入口が収縮する回転補助具の押入口２８、外側に開いた押入口の上端部分３４、となつている
【００２２】  図１２は、着脱自由の押入口が収縮する回転補助具２６に、ラップフイルム５を押入の状態を示す、となつている
【００２３】  図１３は、着脱自由の押入口が収縮する回転補助具２６に、ラップフイルム５を押入が完了を示す、回転自由に快適に回り使用中脱出しない、これを、図１０の容器本体内のラップフイルム収納部分４８に、着脱自由に定着している、となつている
【００２４】  図１４は、第４号容器が菱形状になつた立体図を示す、菱形状になつた包装用容器本体６０、ラップフイルム５、ラップフイルム引き出し時の脱出防止部３０、俎板状の補助具１、引き出したラップフイルム１３、俎板状の補助具の方を向いて向いている切断刃３１、包装用容器本体２７、となつている
【００２５】  図１５は、菱形状になつた包装用容器本体６０の側面図を示す、ラップフイルムを着脱する収納口４９、自由可動の蓋８、ラップフイルム引き出し時の脱出防止部３０、俎板状の補助具の方を向いている切断刃３１、引き出したラップフイルム１３、俎板状の補助具１、ラップフイルム５、となつている
【００２６】  図１６は、図１４を補充する立体図を示す、ラップフイルム引き出し時の脱出防止部３０、引き出したラップフイルム１３、俎板状の補助具１、閉じた蓋が復元力で自動で元にもどる補助具３２、着脱自由の押入口が収縮する回転補助具２６、俎板状の補助具の方を向いている切断刃３１、となつている
【００２７】  図１７は、包装用容器本体の前面１０が、俎板状の補助具１の代役になつていることを側面図によつて示す、普通の重量より３倍、５培、重量のある巻芯３５、ラップフイルム５、ラップフイルム引き出し時の脱出防止部３０、自由可動の蓋８、個々の部分を選択して用い、包装用容器を製作する一例を示す、となつている
【００２８】  図１８は、第５号容器の、開閉自由の屋根形状の蓋３６を示す、俎板状の補助具１、閉じた蓋が復元力で自動で開く補助具９、内側に折曲した本体前面上端部分３８、俎板状の補助具１、引き出したラップフイルム１３、開閉自由の屋根形状の蓋接合の位置３７、俎板状の補助具に接触させる切断刃２、となつている。
【００２９】  図１９は、開閉自由の屋根形状の蓋３６を閉じて、引き出したラップフイルム１３を俎板状の補助具１、俎板状の補助具に接触させる切断刃２で挟む、平常時の状態を示す、屋根形状蓋の平常時の形３９、となつている
【００３０】  図２０は、屋根形状の蓋が切断時に、傾斜している形４０を示す、側面図、俎板状の、補助具に接触させる切断刃２、引き出したラップフイルム１３、俎板状の補助具１、ラップフイルム５、普通の重量より３倍、５倍、重量のある巻芯３５、屋根形状蓋の平常時の形３９、普通の巻芯の重量は、小形３５グラム、大形４５グラム、ていどあることを示す
【００３１】  図２１は、普通の重量より３倍、５倍、重量のある巻芯３５、ラップフイルムの巻芯２５、ラップフイルム５、ラップを引くと巻芯の自重で定位置に落下する巻芯の重量を示す
【００３２】  図２２は、第６号容器の、包装用容器本体の前面１０を前方に延長して設けた、俎板状の補助具４２を示す、包装用容器本体の底面１４、ラップフイルム５、蓋開閉補助具の凸部４１、引き出したラップフイルム１３、接触させる切断刃の先端部分１８、となつている。
【００３３】  図２３は、図２２に示す、第６号容器の側面図、包装用容器本体の前面１０、自由可動のの蓋８、接触させる切断刃の先端部分１８、引き出したラップフイルム１３、包装用容器本体前面を延長して設けた俎板状の補助具４２、包装用容器本体の底面１４、蓋開閉補助具の凸部４１、包装用容器本体の後面１５、ラップフイルム５、包装用容器本体の前面１０を上の方にして使用する仕組となつている。
【００３４】  図２４は、図２２を補充する立体図、左手おや指４３を蓋開閉補助具の凸部４１にかけて使用中の状態を示す、包装用容器本体前面を延長して設けた俎板状の補助具４２、俎板状の補助具と切断刃でラップフイルムを挟んでいることを示す点線４４、接触させる切断刃の先端部分１８、引き出したラップフイルム１３、となつている
【００３５】  図２５は、図２２を補充する立体図、左手なか指４５、左手くすり指４６、左手こ指４７、を蓋開閉補助具の凸部４１にかけて使用中の状態を示す、包装用容器本体の底面１４が、平常と異り傾斜して容器本体の前面の位置になつていることを示す、この形態で使用すると、より以上効果がでる、となつている
【００３６】  図２６は、第７号容器の、包装用容器本体の前面１０を上部に位置をかえて、俎板状の補助具１として使用していることを示す、立体図となつている、包装用容器本体の底面１４、包装用容器本体前面下端部分に設けた凹部５０、接触させる切断刃の先端部分１８、引き出したラップフイルム１３、定位置止め兼回転補助具５８、包装用容器本体の後面１５、普通の重量より３倍、５倍、重量のある巻芯３５、となつている
【００３７】  図２７は、包装用容器本体の底面１４が、包装用容器本体の前面１０の位置になつていることを示す、側面図となつている、図２６を補充することもかねている、包装用容器本体の前面１０が俎板状の補助具１になつている、俎板状の補助具に接触させる切断刃２、引き出したラップフイルム１３、包装用容器本体前面下端部分に設けた凹部５０、定位置止め兼回転補助具５８、普通の重量より３倍、５倍、重量のある巻芯３５、となつている
【００３８】  図２８は、接触させる切断刃の先端部分１８が、包装用容器本体前面下端部分に設けた凹部５０のなかに侵入して、引き出したラップフイルム１３を、俎板状の補助具１とで挟んでいることを示す、立体図となつている、蓋開閉補助具の凸部４１、包装用容器本体の前面１０、となつている
【００３９】  図２９は、包装用容器本体を傾斜させて使用している状態を示す、図２８の補充もかねている、包装用容器本体の前面１０、俎板状の補助具に接触させる切断刃２、引き出したラップフイルム１３、俎板状の補助具１、包装用容器本体前面下端部分に設けた凹部５０、包装用容器本体の底面１４、蓋開閉補助具の凸部４１、ラップフイルムを着脱する収納口４９、ラップフイルム引き出し時の脱出防止部３０、となつている
【００４０】  図３０は、第８号容器の、蓋状逆上防止具の裏面に逆回転防止凸部５１を設けたことを示している、包装用容器本体前面下端部分に設けた凹部５０、湾曲した自由可動の蓋５２、自由可動の蓋状逆上防止具６、となつている
【００４１】  図３１は、図３０を補充する立体図となつている、俎板状の補助具の方を向いている切断刃３１、蓋状逆上防止具の垂下面５９、閉じた蓋が復元力で自動で開く補助具９を示す、となつている。
【００４２】  図３２は、俎板状の補助具の方を向いている切断刃３１、湾曲した自由可動の蓋５２、包装用容器本体前面下端部分に設けた凹部５０、分割した俎板状の補助具５７、を示す、立体図となつている、切断刃３１、補助具５７、でラップ１３を挟んでいることを示す。
【００４３】  図３３は、図２６に示す、第７号容器の補充を示す、蓋開閉補助具の凸部４１を、左手おやゆび４３、左手なか指４５、左手くすり指４６、左手こ指４７、左手ひとさし指６１で握り、包装用容器本体の前面１０を上部にして使用の状態を示す、引き出したラップフイルム１３、包装用容器本体前面下端部分に設けた凹部５０の内に切断刃の先端部分が侵入していることを示す、となつている
【００４４】  図３４は、逆上したラップフイルム５３、は、自由可動の蓋状逆上防止具６が無いと図のように逆上することを示す、包装用容器本体前面下端部分に設けた凹部５０、となつている
【００４５】  図３５は、俎板状の補助具に接触させる切断刃２、を、復数以上設けたことを示す、包装用容器を製作時、１回で使い捨てる、数回使用する、長い間使用する、大、中、小、の容器、軟質、硬質、紙類、混合した材質、用途に適合するように選択して用いる仕組となつていることを示す、普通の重量より３倍、５倍、重量のある巻芯３５、となつている
【００４６】  図３６は、蓋状逆上防止具に接合している復元力で元にもどる補助具５４、を示している、接触させる切断刃の先端部分１８を、ほぼ両端に設けたことを示す、となつている
【００４７】  図３７は、第９号容器の、開いた逆上防止具が復元力で自動で元にもどる逆上防止具５５、を示す、この逆上防止具５５は、引き出したラップフイルム１３を引き出し時、引き出されるラップの力で上部に開く仕組になつている、引き出しが終ると自動で元にもどる仕組となつている、ラップフイルム５、分割した俎板状の補助具５７、普通の重量より３倍、５倍、重量のある巻芯３５、蓋開閉補助具の凸部４１、となつている
【００４８】  図３８は、図３０の補充を示す側面図、俎板状の補助具１、引き出したラップフイルム１３、自由可動の蓋状逆上防止具６、閉じた蓋が復元力で自動で開く補助具９、湾曲した自動可動の蓋５２、自動可動の蓋状逆上防止具の裏面に設けた逆回転防止凸部５１、ラップフイルム５、定位置止め兼回転補助具５８、となつている
【００４９】  図３９は、湾曲した自由可動の蓋を閉じた状態を示す側面図、湾曲した自由可動の蓋５２、閉じた蓋が復元力で自動で開く補助具９、となつている
【００５０】  図４０は、第１０号容器の、自由可動の蓋の裏面２箇所に設けた逆回転防止凸部５６、俎板状の補助具に接触させる切断刃２、俎板状の補助具１、接着部分を有する引き出し口６２、引き出したラップフイルム１３、を示す、使用分を、引き出したラップフイルム１３を切断すると、接着部分を有する引き出し口６２に、接着した切れ端が次回引き出しの状態で定着する、次回使用時接着部分は簡単にはがれる仕組になつている
【００５１】  図４１は、蓋を閉じると凸部が逆回転を防止することを示している、側面図、自由可動の蓋の裏面２箇所に設けた逆回転防止凸部５６、俎板状の補助具に接触させる切断刃２、引き出したラップフイルム１３、俎板状の補助具１、ラップフイルム５、となつている、図４０の側面図を示す
【符号の説明】
【００５２】１  俎板状の補助具
２  俎板状の補助具に接触させる切断刃
３  着脱自由の定着板つき筒状芯棒の大
４  着脱自由の定着板つき凸部状芯棒の小
５  ラップフイルム
６  自由可動の蓋状逆上防止具
７  自由可動の蓋状逆上防止具を接合した位置
８  自由可動の蓋
９  閉じた蓋が復元力で自動で開く補助具
１０  包装用容器本体の前面
１１  包装用容器本体の右側面
１２  ラップフイルムの引き出し口
１３  引き出したラップフイルム
１４  包装用容器本体の底面
１５  包装用容器本体の後面
１６  包装用容器本体の左側面
１７  空白部分
１８  接触させる切断刃の先端部分
１９  内側に空白部分を有する筒状芯棒の大
２０  定着板
２１  凸部状芯棒の小
２２  開閉自由の定着板つき凸部状の芯棒
２３  開閉自由の定着板
２４  側面を貫通した穴
２５  ラップフイルムの巻芯
２６  着脱自由の押入口が収縮する回転補助具
２７  包装用容器本体
２８  押入口が収縮する回転補助具の押入口
２９  点線のように収縮する
３０  ラップフイルム引き出し時の脱出防止部
３１  俎板状の補助具の方を向いている切断刃
３２  閉じた蓋が復元力で自動で元にもどる補助具
３３  ラップフイルムの巻芯内の空白部分
３４  外側に開いた押入口の上端部分
３５  普通の重量より３倍、５倍、重量のある巻芯
３６  開閉自由の屋根形状の蓋
３７  開閉自由の屋根形状の蓋接合の位置
３８  内側に折曲した本体前面上端部分
３９  屋根形状蓋の平常時の形
４０  屋根形状蓋が切断時に、傾斜している形
４１  蓋開閉補助具の凸部
４２  包装用容器本体前面を延長して設けた俎板状の補助具
４３  左手おや指
４４  俎板状の補助具と切断刃でラップフイルムを挟んでいることを示す点線
４５  左手なか指
４６  左手くすり指
４７  左手こ指
４８  包装用容器本体内のラップフイルム収納部分
４９  ラップフイルムを着脱する収納口
５０  包装用容器本体前面下端部分に設けた凹部
５１  自由可動の蓋状逆上防止具の裏面に設けた逆回転防止凸部
５２  湾曲した自由可動の蓋
５３  逆上したラップフイルム
５４  蓋状逆上防止具に接合している復元力で元にもどる補助具
５５  開いた逆上防止具が復元力で自動で元にもどる逆上防止具
５６  自由可動の蓋の裏面２箇所に設けた逆回転防止凸部
５７  分割した俎板状の補助具
５８  定位置止め兼回転補助具
５９  蓋状逆上防止具の垂下面
６０  菱形状になつた包装用容器本体
６１  左手ひとさし指
６２  接着部分を有する引き出し口
【図１】
2016108046.tif 000003
【図２】
2016108046.tif 000004
【図３】
2016108046.tif 000005
【図４】
2016108046.tif 000006
【図５】
2016108046.tif 000007
【図６】
2016108046.tif 000008
【図７】
2016108046.tif 000009
【図８】
2016108046.tif 000010
【図９】
2016108046.tif 000011
【図１０】
2016108046.tif 000012
【図１１】
2016108046.tif 000013
【図１２】
2016108046.tif 000014
【図１３】
2016108046.tif 000015
【図１４】
2016108046.tif 000016
【図１５】
2016108046.tif 000017
【図１６】
2016108046.tif 000018
【図１７】
2016108046.tif 000019
【図１８】
2016108046.tif 000020
【図１９】
2016108046.tif 000021
【図２０】
2016108046.tif 000022
【図２１】
2016108046.tif 000023
【図２２】
2016108046.tif 000024
【図２３】
2016108046.tif 000025
【図２４】
2016108046.tif 000026
【図２５】
2016108046.tif 000027
【図２６】
2016108046.tif 000028
【図２７】
2016108046.tif 000029
【図２８】
2016108046.tif 000030
【図２９】
2016108046.tif 000031
【図３０】
2016108046.tif 000032
【図３１】
2016108046.tif 000033
【図３２】
2016108046.tif 000034
【図３３】
2016108046.tif 000035
【図３４】
2016108046.tif 000036
【図３５】
2016108046.tif 000037
【図３６】
2016108046.tif 000038
【図３７】
2016108046.tif 000039
【図３８】
2016108046.tif 000040
【図３９】
2016108046.tif 000041
【図４０】
2016108046.tif 000042
【図４１】
2016108046.tif 000043
【手続補正書】
【提出日】平成27年6月29日(2015.6.29)
【手続補正１】
【補正対象書類名】明細書
【補正対象項目名】００５２
【補正方法】変更
【補正の内容】
【００５２】１  俎板状の補助具
２  俎板状の補助具に接触させる、支持体つき切断刃
３  着脱自由の定着板つき筒状芯棒の大
４  着脱自由の定着板つき凸部状芯棒の小
５  ラップフイルム
６  自由可動の蓋状逆上防止具
７  自由可動の蓋状逆上防止具を接合した位置
８  自由可動の蓋
９  閉じた蓋が復元力で自動で開く補助具
１０  包装用容器本体の前面
１１  包装用容器本体の右側面
１２  ラップフイルムの引き出し口
１３  引き出したラップフイルム
１４  包装用容器本体の底面
１５  包装用容器本体の後面
１６  包装用容器本体の左側面
１７  空白部分
１８  接触させる切断刃の先端部分
１９  内側に空白部分を有する筒状芯棒の大
２０  定着板
２１  凸部状芯棒の小
２２  開閉自由の定着板つき凸部状の芯棒
２３  開閉自由の定着板
２４  側面を貫通した穴
２５  ラップフイルムの巻芯
２６  着脱自由の押入口が収縮する回転補助具
２７  包装用容器本体
２８  押入口が収縮する回転補助具の押入口
２９  点線のように収縮する
３０  ラップフイルムの引き出し時の脱出防止部
３１  俎板状の補助具の方を向いている切断刃
３２  閉じた蓋が復元力で自動で元にもどる補助具
３３  ラップフイルムの巻芯内の空白部分
３４  外側に開いた押入口の上端部分
３５  普通の重量より３倍〜５倍ていど重量のある着脱自由の巻芯
３６  開閉自由の屋根形状の蓋
３７  開閉自由の屋根形状の蓋接合の位置
３８  内側に折曲した本体前面上端部分
３９  屋根形状の蓋平常時の形
４０  屋根形状の蓋が切断時に傾斜している形
４１  蓋開閉補助具の凸部
４２  包装用容器本体前面を延長して設けた俎板状の補助具
４３  左手おや指
４４  俎板状の補助具と切断刃でラップフイルムを挟んでいることを示す点線
４５  左手なか指
４６  左手くすり指
４７  左手こ指
４８  包装用容器本体内のラップフイルム収納部分
４９  ラップフイルムを着脱する収納口
５０  包装用容器本体前面下端部分に設けた凹部
５１  自由可動の蓋状逆上防止具の裏面に設けた逆回転防止凸部
５２  湾曲した自由可動の蓋
５３  逆上したラップフイルム
５４  蓋状逆上防止具に接合している復元力で元にもどる補助具
５５  開いた逆上防止具が復元力で自動で元にもどる逆上防止具
５６  自由可動の蓋の裏面２箇所に設けた逆回転防止凸部
５７  分割した俎板状の補助具
５８  定位置止め兼回転補助具
５９  蓋状逆上防止具の垂下面
６０  菱形状になった包装用容器本体
６１  左手ひとさし指
６２  接着部分を有する引き出し口
【手続補正書】
【提出日】平成27年10月6日(2015.10.6)
【手続補正１】
【補正対象書類名】明細書
【補正対象項目名】全文
【補正方法】変更
【補正の内容】
【発明の詳細な説明】
【技術分野】
【０００１】  本発明は、包装用容器本体内に収納したラップフイルムを使用分を引き出し、これを切断する、俎板状の補助具を有する切断刃つき包装用容器に関するもの
【背景技術】
【０００２】  通常使用しているＡ形ラップフイルムを容器本体内に収納した後に、これを引き出し切断時に、強くおさえる、強くこねる、ラップフイルムを切断後にラップフイルムの切れ端が逆上する、逆上したラップフイルムを防止するために、容器本体前面上端部分に防止部分を設けているが、次回の引き出し時に小々障害になることがおこる、部品が多々あつてラップの巻芯の回転が悪く、ラップの切れ端が、ラップに巻きつき切れ端がわからなくなることが多々ある、Ｂ形ラップフイルムは容器本体の前面に平行して、垂直に下を向いて切断刃がついている、卓上においた皿にラップをかける時は小々こまる事がおこる、しつかりおさえる、蓋をしつかり閉めて端から切断する、切断と云うよりも引きちぎる感が大きい。
【先行技術文献】
【特許文献】
【０００３】
【特許文献１】特許公開番号２００９−８３９１７
【０００４】
【特許文献２】特許公開番号２０１３−１４１０
【非特許文献】
【０００５】
【発明の概要】
【発明が解決しようとする課題】
【０００６】  包装用容器本体内に収納したラップフイルムを使用分引き出し、何の条件もなく蓋を閉じると簡単に切断できる包装用容器を設ける
【課題を解決するための手段】
【０００７】  包装用容器本体内に収納したラップフイルムを、使用分を引き出し、俎板状の補助具と切断刃で挟み切断する包装用容器を、復数以上の形態で（第１号〜第１０号まで）復数以上を設け、用途に適合する容器を選択して使用する、俎板状の補助具を有する切断刃つき包装用容器を設ける
【発明の効果】
【０００８】  使用分を引き出したラップフイルムを、何の条件もなく包装用容器の開閉自由の蓋を閉じると簡単に切断可能となつたことで、強くおさえる、強くこねる、蓋をしつかり閉めて端から切断する、等々諸々の条件がなくなり安心して快適に使用できる、使用してくださるお客様にも安心して障害のないことを伝えて、心をこめて提供できる
【図面の簡単な説明】
【０００９】
【図１】本発明の請求項１の第１号容器の全体図を示す、立体図
【図２】接触させる切断刃の先端部分を俎板状の補助具に接触を示す、立体図
【図３】着脱自由の定着板つき筒状芯棒大、着脱自由の定着板つき凸部を示す、立体図
【図４】ラップフイルムの内側に空白部分を有する芯棒大を示す、立体図
【図５】凸部状芯棒小を内側に空白部分を有する芯棒大に押入を示す、立体図
【図６】第２号容器の、側面を貫通した穴、開閉自由の定着板つき凸部状芯棒を示す立体図
【図７】開閉自由の定着板つき凸部状の芯棒、ラップフイルム巻芯内の空白部分を示す、側面図
【図８】自由可動の蓋状逆上防止具、閉じた蓋が復元力で自動で開く補助具を示す、立体図
【図９】開閉自由の定着板つき凸部状芯棒を、ラップフイルム巻芯内に押入を示す、側面図
【図１０】第３号容器の、着脱自由の、押入口が収縮する回転補助具を示す、立体図
【図１１】押入口が収縮する回転補助具の、収縮の状態を示す、立体図
【図１２】ラップフイルムの押入の状態を示す、立体図
【図１３】ラップフイルムの押入が完了したことを示す、立体図
【図１４】第４号容器の、包装用容器本体が菱形状に、なつたことを示す、立体図
【図１５】俎板状の補助具の方を向いている切断刃の先端部分を示す、側面図
【図１６】閉じた蓋が復元力で自動で元にもどる補助具を示す、立体図
【図１７】包装用容器本体の前面が俎板状の補助具になつたことを示す、側面図
【図１８】第５号容器の、開閉自由の屋根形状の蓋を示す、立体図
【図１９】屋根形状の蓋が平常の時は、水平になつていることを示す、立体図
【図２０】屋根形状の蓋が切断時にわ傾斜している形を示す、側面図
【図２１】普通の重量より３倍、５倍の重量のある巻芯を示す、立体図
【図２２】第６号容器の、包装用容器本体の前面を前方に延長して設けた、俎板状の補助具を示す、立体図
【図２３】引き出したラップフイルムの状態を示す、側面図
【図２４】引き出したラップフイルムを挟んでいることを示す、立体図
【図２５】容器本体前面を延長して設けた、俎板状の補助具を底面より示す、立体図
【図２６】第７号容器の、包装用容器本体の前面を上部にして使用していることを示す、立体図
【図２７】包装用容器本体の底面が前面の位置になつていることを示す、側面図
【図２８】接触させる切断刃の先端部分が接触したことを示す、立体図
【図２９】包装用容器本体を傾斜させて使用することを示す、側面図
【図３０】第８号容器の、蓋状逆上防止具の裏面に逆回転防止凸部を設けたことを示す、立体図
【図３１】蓋状逆上防止具の垂下部分を示す、立体図
【図３２】俎板状の補助具の方を向いている切断刃の接触を示す、立体図
【図３３】第７号容器の、容器本体の前面を上部にして使用している状態を示す、立体図
【図３４】逆上したラップフイルムを示す、立体図
【図３５】俎板状の補助具に接触させる切断刃を復数以上設けたことを示す、立体図
【図３６】復元力で元にもどる補助具に蓋状逆上防止具を接合していることを示す、立体図
【図３７】第９号容器の、開いた逆上防止具が復元力で自動で閉ることを示す、立体図
【図３８】図３０の、蓋状逆上防止具の裏面に設けた凸部を示す、側面図
【図３９】湾曲した自由可動の蓋を閉じた状態を示す、側面図
【図４０】第１０号容器の自由可動蓋の裏面２箇所に設けた逆回転防止具を示す、立体図
【図４１】蓋を閉じると凸部が逆回転を防止することを示している、側面図
【図４２】一体とした二股の支持体つき切断刃を示す、立体図
【発明を実施するための形態】
【００１０】  本発明の実施の形態を図１〜図４２に基ずいて説明する
【００１１】  図１は、本発明の請求項１俎板状の補助具を有する切断刃つき包装用容器の、第１号容器の全体図となつている、俎板状の補助具１、包装用容器本体の底面１４、着脱自由の定着板つき筒状芯棒の大３、包装用容器本体の左側面１６、包装用容器の後面１５、定着板２０、包装用容器本体内のラップフイルム収納部分４８、自由可動の蓋８、ラップフイルム５、自由可動の蓋状逆上防止具を接合した位置７、空白部分１７、俎板状の補助具に接触させる切断刃２、着脱自由の定着板つき凸部状芯棒の小４、包装用容器本体の右側面１１、引き出したラップフイルム１３、自由可動の蓋状逆上防止具６、閉じた蓋が復元力で自動で開く補助具９、ラップフイルムの引き出し口１２、包装用容器本体の前面１０、となつている
【００１２】  図２は、自由可動の蓋８を閉じると、接触させる切断刃の先端部分１８と俎板状の補助具１で、引き出したラップフイルム１３を挟み簡単に切断可能となつている
【００１３】  図３は、内側に空白部分を有する筒状芯棒大１９、凸部状芯棒の小２１、定着板２０、となつている
【００１４】  図４は、内側に空白部分を有する筒状芯棒大１９にラップフイルム５を回転自由に外側に押入している、定着板２０、となつている
【００１５】  図５は、凸部状芯棒の小２１を、筒状芯棒大１９の内側に着脱自由に押入して定着している、定着板２０、押入しているラップフイルム５は快適に回転可能になつている、これを容器本体内の収納部分に、着脱自由に定着させている。
【００１６】  図６は、第２号容器を示す、開閉自由の定着板つき凸部状の芯棒２２、側面を貫通した穴２４、ラップフイルム５、開閉自由の定着板２３、となつている
【００１７】  図７は、第２号容器の側面図を示す、開閉自由の定着板つき凸部状の芯棒２２、側面を貫通した穴２４、包装用容器本体の左側面１６、ラップフイルムの巻芯内の空白部分３３ラップフイルムの巻芯２５、となつている
【００１８】  図８は、図６を補充する立体図を示す、俎板状の補助具に接触させる切断刃２、閉じた蓋が復元力で自動で開く補助具９，開閉自由の定着板２３、自由可動の蓋状逆上防止具６、ラップフイルムの引き出し口１２、俎板状の補助具１、開閉自由の定着板つき凸部状の芯棒２２、自由可動の蓋８、となつている。
【００１９】  図９は、図７に示す、開閉自由の定着板つき凸部状の芯棒２２が閉じたことを示している、開閉自由の定着板２３、ラップフイルムの巻芯内の空白部分３３、となつている
【００２０】  図１０は、第３号容器の立体図を示す、俎板状の補助具１、包装用容器本体内のラップフイルム収納部分４８、着脱自由の押入口が収縮する回転補助具２６、包装用容器本体２７、俎板状の補助具に接触させる切断刃２、ラップフイルム５、となつている
【００２１】  図１１は、点線のように収縮する２９、押入口が収縮する回転補助具の押入口２８、外側に開いた押入口の上端部分３４、となつている
【００２２】  図１２は、着脱自由の押入口が収縮する回転補助具２６に、ラップフイルム５を押入の状態を示す、となつている
【００２３】  図１３は、着脱自由の押入口が収縮する回転補助具２６に、ラップフイルム５を押入が完了を示す、回転自由に快適に回り使用中脱出しない、これを、図１０の容器本体内のラップフイルム収納部分４８に、着脱自由に定着している、となつている
【００２４】  図１４は、第４号容器が菱形状になつた立体図を示す、菱形状になつた包装用容器本体６０、ラップフイルム５、ラップフイルム引き出し時の脱出防止部３０、俎板状の補助具１、引き出したラップフイルム１３、俎板状の補助具の方を向いて向いている切断刃３１、包装用容器本体２７、となつている
【００２５】  図１５は、菱形状になつた包装用容器本体６０の側面図を示す、ラップフイルムを着脱する収納口４９、自由可動の蓋８、ラップフイルム引き出し時の脱出防止部３０、俎板状の補助具の方を向いている切断刃３１、引き出したラップフイルム１３、俎板状の補助具１、ラップフイルム５、となつている
【００２６】  図１６は、図１４を補充する立体図を示す、ラップフイルム引き出し時の脱出防止部３０、引き出したラップフイルム１３、俎板状の補助具１、閉じた蓋が復元力で自動で元にもどる補助具３２、着脱自由の押入口が収縮する回転補助具２６、俎板状の補助具の方を向いている切断刃３１、となつている
【００２７】  図１７は、包装用容器本体の前面１０が、俎板状の補助具１の代役になつていることを側面図によつて示す、普通の重量より３倍、５培、重量のある巻芯３５、ラップフイルム５、ラップフイルム引き出し時の脱出防止部３０、自由可動の蓋８、個々の部分を選択して用い、包装用容器を製作する一例を示す、となつている
【００２８】  図１８は、第５号容器の、開閉自由の屋根形状の蓋３６を示す、俎板状の補助具１、閉じた蓋が復元力で自動で開く補助具９、内側に折曲した本体前面上端部分３８、俎板状の補助具１、引き出したラップフイルム１３、開閉自由の屋根形状の蓋接合の位置３７、俎板状の補助具に接触させる切断刃２、となつている。
【００２９】  図１９は、開閉自由の屋根形状の蓋３６を閉じて、引き出したラップフイルム１３を俎板状の補助具１、俎板状の補助具に接触させる切断刃２で挟む、平常時の状態を示す、屋根形状蓋の平常時の形３９、となつている
【００３０】  図２０は、屋根形状の蓋が切断時に、傾斜している形４０を示す、側面図、俎板状の、補助具に接触させる切断刃２、引き出したラップフイルム１３、俎板状の補助具１、ラップフイルム５、普通の重量より３倍、５倍、重量のある巻芯３５、屋根形状蓋の平常時の形３９、普通の巻芯の重量は、小形３５グラム、大形４５グラム、ていどあることを示す
【００３１】  図２１は、普通の重量より３倍、５倍、重量のある巻芯３５、ラップフイルムの巻芯２５、ラップフイルム５、ラップを引くと巻芯の自重で定位置に落下する巻芯の重量を示す
【００３２】  図２２は、第６号容器の、包装用容器本体の前面１０を前方に延長して設けた、俎板状の補助具４２を示す、包装用容器本体の底面１４、ラップフイルム５、蓋開閉補助具の凸部４１、引き出したラップフイルム１３、接触させる切断刃の先端部分１８、となつている。
【００３３】  図２３は、図２２に示す、第６号容器の側面図、包装用容器本体の前面１０、自由可動のの蓋８、接触させる切断刃の先端部分１８、引き出したラップフイルム１３、包装用容器本体前面を延長して設けた俎板状の補助具４２、包装用容器本体の底面１４、蓋開閉補助具の凸部４１、包装用容器本体の後面１５、ラップフイルム５、包装用容器本体の前面１０を上の方にして使用する仕組となつている。
【００３４】  図２４は、図２２を補充する立体図、左手おや指４３を蓋開閉補助具の凸部４１にかけて使用中の状態を示す、包装用容器本体前面を延長して設けた俎板状の補助具４２、俎板状の補助具と切断刃でラップフイルムを挟んでいることを示す点線４４、接触させる切断刃の先端部分１８、引き出したラップフイルム１３、となつている
【００３５】  図２５は、図２２を補充する立体図、左手なか指４５、左手くすり指４６、左手こ指４７、を蓋開閉補助具の凸部４１にかけて使用中の状態を示す、包装用容器本体の底面１４が、平常と異り傾斜して容器本体の前面の位置になつていることを示す、この形態で使用すると、より以上効果がでる、となつている
【００３６】  図２６は、第７号容器の、包装用容器本体の前面１０を上部に位置をかえて、俎板状の補助具１として使用していることを示す、立体図となつている、包装用容器本体の底面１４、包装用容器本体前面下端部分に設けた凹部５０、接触させる切断刃の先端部分１８、引き出したラップフイルム１３、定位置止め兼回転補助具５８、包装用容器本体の後面１５、普通の重量より３倍、５倍、重量のある巻芯３５、となつている
【００３７】  図２７は、包装用容器本体の底面１４が、包装用容器本体の前面１０の位置になつていることを示す、側面図となつている、図２６を補充することもかねている、包装用容器本体の前面１０が俎板状の補助具１になつている、俎板状の補助具に接触させる切断刃２、引き出したラップフイルム１３、包装用容器本体前面下端部分に設けた凹部５０、定位置止め兼回転補助具５８、普通の重量より３倍、５倍、重量のある巻芯３５、となつている
【００３８】  図２８は、接触させる切断刃の先端部分１８が、包装用容器本体前面下端部分に設けた凹部５０のなかに侵入して、引き出したラップフイルム１３を、俎板状の補助具１とで挟んでいることを示す、立体図となつている、蓋開閉補助具の凸部４１、包装用容器本体の前面１０、となつている
【００３９】  図２９は、包装用容器本体を傾斜させて使用している状態を示す、図２８の補充もかねている、包装用容器本体の前面１０、俎板状の補助具に接触させる切断刃２、引き出したラップフイルム１３、俎板状の補助具１、包装用容器本体前面下端部分に設けた凹部５０、包装用容器本体の底面１４、蓋開閉補助具の凸部４１、ラップフイルムを着脱する収納口４９、ラップフイルム引き出し時の脱出防止部３０、となつている
【００４０】  図３０は、第８号容器の、蓋状逆上防止具の裏面に逆回転防止凸部５１を設けたことを示している、包装用容器本体前面下端部分に設けた凹部５０、湾曲した自由可動の蓋５２、自由可動の蓋状逆上防止具６、となつている
【００４１】  図３１は、図３０を補充する立体図となつている、俎板状の補助具の方を向いている切断刃３１、蓋状逆上防止具の垂下面５９、閉じた蓋が復元力で自動で開く補助具９を示す、となつている。
【００４２】  図３２は、俎板状の補助具の方を向いている切断刃３１、湾曲した自由可動の蓋５２、包装用容器本体前面下端部分に設けた凹部５０、分割した俎板状の補助具５７、を示す、立体図となつている、切断刃３１、補助具５７、でラップ１３を挟んでいることを示す。
【００４３】  図３３は、図２６に示す、第７号容器の補充を示す、蓋開閉補助具の凸部４１を、左手おやゆび４３、左手なか指４５、左手くすり指４６、左手こ指４７、左手ひとさし指６１で握り、包装用容器本体の前面１０を上部にして使用の状態を示す、引き出したラップフイルム１３、包装用容器本体前面下端部分に設けた凹部５０の内に切断刃の先端部分が侵入していることを示す、となつている
【００４４】  図３４は、逆上したラップフイルム５３、は、自由可動の蓋状逆上防止具６が無いと図のように逆上することを示す、包装用容器本体前面下端部分に設けた凹部５０、となつている
【００４５】  図３５は、俎板状の補助具に接触させる切断刃２、を、復数以上設けたことを示す、包装用容器を製作時、１回で使い捨てる、数回使用する、長い間使用する、大、中、小、の容器、軟質、硬質、紙類、混合した材質、用途に適合するように選択して用いる仕組となつていることを示す、普通の重量より３倍、５倍、重量のある巻芯３５、となつている
【００４６】  図３６は、蓋状逆上防止具に接合している復元力で元にもどる補助具５４、を示している、接触させる切断刃の先端部分１８を、ほぼ両端に設けたことを示す、となつている
【００４７】  図３７は、第９号容器の、開いた逆上防止具が復元力で自動で元にもどる逆上防止具５５、を示す、この逆上防止具５５は、引き出したラップフイルム１３を引き出し時、引き出されるラップの力で上部に開く仕組になつている、引き出しが終ると自動で元にもどる仕組となつている、ラップフイルム５、分割した俎板状の補助具５７、普通の重量より３倍、５倍、重量のある巻芯３５、蓋開閉補助具の凸部４１、となつている
【００４８】  図３８は、図３０の補充を示す側面図、俎板状の補助具１、引き出したラップフイルム１３、自由可動の蓋状逆上防止具６、閉じた蓋が復元力で自動で開く補助具９、湾曲した自動可動の蓋５２、自動可動の蓋状逆上防止具の裏面に設けた逆回転防止凸部５１、ラップフイルム５、定位置止め兼回転補助具５８、となつている
【００４９】  図３９は、湾曲した自由可動の蓋を閉じた状態を示す側面図、湾曲した自由可動の蓋５２、閉じた蓋が復元力で自動で開く補助具９、となつている
【００５０】  図４０は、第１０号容器の、自由可動の蓋の裏面２箇所に設けた逆回転防止凸部５６、俎板状の補助具に接触させる切断刃２、俎板状の補助具１、接着部分を有する引き出し口６２、引き出したラップフイルム１３、を示す、使用分を、引き出したラップフイルム１３を切断すると、接着部分を有する引き出し口６２に、接着した切れ端が次回引き出しの状態で定着する、次回使用時接着部分は簡単にはがれる仕組になつている
【００５１】  図４１は、蓋を閉じると凸部が逆回転を防止することを示している、側面図、自由可動の蓋の裏面２箇所に設けた逆回転防止凸部５６、俎板状の補助具に接触させる切断刃２、引き出したラップフイルム１３、俎板状の補助具１、ラップフイルム５、となつている、図４０の側面図を示す
【００５２】  図４２は、一体とした二股の支持体つき切断刃６３を示している、なを俎板状の補助具１、自由可動の蓋８、蓋開閉補助具の凸部４１、を示す
【符号の説明】
【００５３】１  俎板状の補助具
２  俎板状の補助具に接触させる、支持体つき切断刃
３  着脱自由の定着板つき筒状芯棒の大
４  着脱自由の定着板つき凸部状芯棒の小
５  ラップフイルム
６  自由可動の蓋状逆上防止具
７  自由可動の蓋状逆上防止具を接合した位置
８  自由可動の蓋
９  閉じた蓋が復元力で自動で開く補助具
１０  包装用容器本体の前面
１１  包装用容器本体の右側面
１２  ラップフイルムの引き出し口
１３  引き出したラップフイルム
１４  包装用容器本体の底面
１５  包装用容器本体の後面
１６  包装用容器本体の左側面
１７  空白部分
１８  接触させる切断刃の先端部分
１９  内側に空白部分を有する筒状芯棒の大
２０  定着板
２１  凸部状芯棒の小
２２  開閉自由の定着板つき凸部状の芯棒
２３  開閉自由の定着板
２４  側面を貫通した穴
２５  ラップフイルムの巻芯
２６  着脱自由の押入口が収縮する回転補助具
２７  包装用容器本体
２８  押入口が収縮する回転補助具の押入口
２９  点線のように収縮する
３０  ラップフイルムの引き出し時の脱出防止部
３１  俎板状の補助具の方を向いている切断刃
３２  閉じた蓋が復元力で自動で元にもどる補助具
３３  ラップフイルムの巻芯内の空白部分
３４  外側に開いた押入口の上端部分
３５  普通の重量より３倍〜５倍ていど重量のある着脱自由の巻芯
３６  開閉自由の屋根形状の蓋
３７  開閉自由の屋根形状の蓋接合の位置
３８  内側に折曲した本体前面上端部分
３９  屋根形状の蓋平常時の形
４０  屋根形状の蓋が切断時に傾斜している形
４１  蓋開閉補助具の凸部
４２  包装用容器本体前面を延長して設けた俎板状の補助具
４３  左手おや指
４４  俎板状の補助具と切断刃でラップフイルムを挟んでいることを示す点線
４５  左手なか指
４６  左手くすり指
４７  左手こ指
４８  包装用容器本体内のラップフイルム収納部分
４９  ラップフイルムを着脱する収納口
５０  包装用容器本体前面下端部分に設けた凹部
５１  自由可動の蓋状逆上防止具の裏面に設けた逆回転防止凸部
５２  湾曲した自由可動の蓋
５３  逆上したラップフイルム
５４  蓋状逆上防止具に接合している復元力で元にもどる補助具
５５  開いた逆上防止具が復元力で自動で元にもどる逆上防止具
５６  自由可動の蓋の裏面２箇所に設けた逆回転防止凸部
５７  分割した俎板状の補助具
５８  定位置止め兼回転補助具
５９  蓋状逆上防止具の垂下面
６０  菱形状になった包装用容器本体
６１  左手ひとさし指
６２  接着部分を有する引き出し口
６３  一体とした二股の支持体つき切断刃
【手続補正２】
【補正対象書類名】特許請求の範囲
【補正対象項目名】全文
【補正方法】変更
【補正の内容】
【特許請求の範囲】
【請求項１】
引き出したラップフイルムを、俎板状の補助具と切断刃で挟み切断する包装用容器を、復数以上の形態で（第１号容器〜第１０号容器まで）復数以上を設け、用途に適合する容器を選択して使用する（１）〜（１５）で構成を有することを特徴とする、俎板状の補助具を有する切断刃つき包装用容器
（１）第１号容器を、包装用容器本体の底面１４を前方に延長して俎板状の補助具１を設けている          （図１を参照）（図１は第１号容器の全体図を示している）
（２）自由可動の蓋８の先端部分に、俎板状の補助具に接触させる切断刃２を設けている
（３）包装用容器本体の前面１０にラップフイルムの引き出し口１２を設けている
（４）包装用容器本体内のラップフイルム収納部分４８に、着脱自由の定着板つき筒状芯棒の大３、着脱自由の定着板つき凸部状芯棒の小４、ラップフイルム５、を収納している
（５）自由可動の蓋状逆上防止具６、を設けている
（６）閉じた蓋が復元力で自動で開く補助具９、を設けている、その他に、定着板２０、引き出したラップフイルム１３、包装用容器本体の右側面１１、包装用容器本体の左側面１６、包装用容器本体の後面１５、自由可動の蓋状逆上防止具を接合した位置７、空白部分１７、となつている。（本発明の実施の形態の欄で図１〜図４１に基ずいて詳細に説明する、以下同じ）
（７）第２号容器を、図６に示す、開閉自由の定着板つき凸部状の芯棒２２、開閉自由の定着板２３、ラップフイルム５、を設けている
（８）第３号容器を、図１０に示す、着脱自由の押入口が収縮する回転補助具２６、包装用容器本体内のラップフイルム収納部分４８、ラップフイルム５、を設けている
（９）第４号容器を、図１４に示す、菱形状になつた包装用容器本体６０、包装用容器本体２７、ラップフイルム引き出し時の脱出防止部３０、を設けている
（１０）第５号容器を、図１８に示す、開閉自由の屋根形状の蓋３６、開閉自由の屋根形状の蓋接合の位置３７、内側に折曲した本体前面上端部分３８、を設けている。
（１１）第６号容器を、図２２に示す、包装用容本体前面を延長して設けた俎板状の補助具４２、蓋開閉補助の凸部４１、接触させる切断刃の先端部分１８、を設けている
（１２）第７号容器を、図２６に示す、包装用容器本体の前面１０を俎板状の補助具として使用している、切触させる切断刃の先端部分１８、を設けている
（１３）第８号容器を、図３０に示す、自由可動の蓋状逆上防止具の裏面に設けた逆回転防止凸部５１、湾曲した自由可動の蓋５２、を設けている
（１４）第９号容器を、図３７に示す、開いた逆上防止具が復元力で自動で元にもどる補助具５５、分割した俎板状の補助具５７、を設けている
（１５）第１０号容器を、図４０に示す、自由可動の蓋の裏面２箇所に設けた逆回転防止凸部５６、俎板状の補助具１、俎板状の補助具に接触させる切断刃２、を設けている
上記、請求項１に記載の包装用容器個々の形態を共有して使用する、軟質の材質、硬質の材質、紙類の材質、混合した材質、復元力が強い材質、諸々の材質を用い、１回で使い捨てにする、数回使用する、長い期間使用する、着脱自由に定着させる、用途に適合する部分を選択し、交換しあい、新しい形態の容器に改良することも可能になつている、以上のように設けている、俎板状の補助具を有する切断刃つき包装用容器
【請求項２】
請求項１の、俎板状の補助具を有する切断刃つき包装用容器の、切断刃の突出部分先端を、小さく３角状に削除し、１体とした二股の支持体つき切断刃を設け、適合する配列に配置した切断刃を設け、請求項１に示す容器を選択して用い接合する、（１）〜（３）で構成を有することを特徴とする、俎板状の補助具を有する切断刃つき包装用容器
（１）包装用容器本体２７の大、中、小、種類によって、一体とした二股の支持体つき切断刃６３の配列と配置、切断刃の支持体の拡大、縮小、形、は自由に変更し製作可能となっている
（２）請求項１に記載の包装用容器個々の形態を、請求項２と共有し、選択して個々を使用可能となっている
（３）支持体つき切断刃を、はじめとし他の個々を、着脱自由に定着する、双方の、いっぽうに凸部状の芯棒を固定する、他の、いっぽうに高い、低いを決める適合する補助具を設ける、ラップフィルムを引き出し時、右回転をしているが、左回転で引き出すように設ける、選択して個々を用い適合する容器に改良し製作可能なっている、
以上のように設けている、俎板状の補助具を有する切断刃つき包装用容器
【手続補正４】
【補正対象書類名】図面
【補正対象項目名】図４２
【補正方法】追加
【補正の内容】
【図４２】
2016108046.tif 000044